(57)【要約】  平面視において矩形状の底面パネル５０ｂを有する筐体５０を備えた室外機１００であって、底面パネル５０ｂは、筐体５０の下面を構成する底部５０ｂ１と、該底部５０ｂ１の外周端から立ち上がる立ち上がり部５０ｂ２と、を備え、立ち上がり部５０ｂ２のうち筐体５０の一方の側面側に位置する立ち上がり部５０ｂ２には第１把持部６０Ｌが設けられ、立ち上がり部５０ｂ２のうち一方の側面側に対向する筐体５０の他方の側面側に位置する立ち上がり部５０ｂ２には第２把持部６０Ｒが設けられている。
2016132443.tif 000002
【特許請求の範囲】
【請求項１】
平面視において矩形状の底面パネルを有する筐体を備えた室外機であって、
前記底面パネルは、
前記筐体の下面を構成する底部と、該底部の外周端から立ち上がる立ち上がり部と、を備え、
前記立ち上がり部のうち前記筐体の一方の側面側に位置する立ち上がり部には第１把持部が設けられ、
前記立ち上がり部のうち前記一方の側面側に対向する前記筐体の他方の側面側に位置する立ち上がり部には第２把持部が設けられている
室外機。
【請求項２】
前記第１把持部は複数設けられている
請求項１に記載の室外機。
【請求項３】
前記第１把持部は、
少なくとも、前記立ち上がり部の四隅のうち前記一方の側面側に位置する二隅に設けられている
請求項１又は請求項２に記載の室外機。
【請求項４】
前記第２把持部は複数設けられている
請求項１〜請求項３の何れか一項に記載の室外機。
【請求項５】
前記第２把持部は、
少なくとも、前記立ち上がり部の四隅のうち前記他方の側面側に位置する二隅に設けられている
請求項１〜請求項４の何れか一項に記載の室外機。
【請求項６】
前記第１把持部は、
前記底部よりも上側において水平方向に延びる第１平設部と、
前記底部の外周端よりも内側において垂直方向に延びる第１立設部と、を有し、
前記第１平設部のうち前記底部の外周端から最も離れる部位と前記第１立設部のうち最も上部に位置する部位とは連続している
請求項１〜請求項５の何れか一項に記載の室外機。
【請求項７】
前記第２把持部は、
前記底部よりも上側において水平方向に延びる第２平設部と、
前記底部の外周端よりも内側において垂直方向に延びる第２立設部と、を有し、
前記第２平設部のうち前記底部の外周端から最も離れる部位と前記第２立設部のうち最も上部に位置する部位とは連続している
請求項１〜請求項６の何れか一項に記載の室外機。
【請求項８】
前記筐体の内部に設けられる室外熱交換器を更に備え、
前記第１立設部と前記室外熱交換器とは当接している
請求項６に記載の室外機。
【請求項９】
前記一方の側面は、送風機を収納する送風機が設けられる空間を形成する一面を構成し、
前記他方の側面は、圧縮機を収納する機械室が設けられる空間を形成する一面を構成する
請求項１〜請求項８の何れか一項に記載の室外機。
【請求項１０】
前記一方の側面及び前記他方の側面のうち少なくとも何れかには側面側把持部が設けられている
請求項１〜請求項９の何れか一項に記載の室外機。
【発明の詳細な説明】
【技術分野】
【０００１】
本発明は、室外機に関する。
【背景技術】
【０００２】
従来、底板（底部）の左右両端部近傍に設けられる取っ手を備えた室外機があった（例えば、特許文献１参照）。特許文献１に記載の室外機において、取っ手は、底板の下面よりも下方に突出する形状となっている。
【先行技術文献】
【特許文献】
【０００３】
【特許文献１】特開２００４−１７７０１９号公報
【発明の概要】
【発明が解決しようとする課題】
【０００４】
このように、特許文献１に記載の室外機は、取っ手が底板の下面よりも下方に突出しているため、取っ手が底板の下面よりも下方に突出する突出量を考慮して筐体を構成する必要がある。したがって、取っ手を設けることで筐体内部の構造に制約が生じるという課題があった。【０００５】
本発明は、上述のような課題を背景としてなされたものであり、従来よりも筐体の構造に制約が生じることを抑制する室外機を得ることを目的とする。
【課題を解決するための手段】
【０００６】
本発明の室外機は、平面視において矩形状の底面パネルを有する筐体を備えた室外機であって、前記底面パネルは、前記筐体の下面を構成する底部と、該底部の外周端から立ち上がる立ち上がり部と、を備え、前記立ち上がり部のうち前記筐体の一方の側面側に位置する立ち上がり部には第１把持部が設けられ、前記立ち上がり部のうち前記一方の側面側に対向する前記筐体の他方の側面側に位置する立ち上がり部には第２把持部が設けられているものである。
【発明の効果】
【０００７】
本発明によれば、立ち上がり部のうち筐体の一方の側面側に位置する立ち上がり部には第１把持部が設けられ、立ち上がり部のうち筐体の他方の側面側に位置する立ち上がり部には第２把持部が設けられている。このため、室外機を把持するための把持部が底部の下面よりも下方に突出しないため、把持部を設けることを考慮して筐体を小さくする必要がなく、把持部を設けることを考慮して筐体の高さを高くする必要もなくなる。したがって、従来よりも筐体の構造に制約が生じることを抑制することができる。
【図面の簡単な説明】
【０００８】
【図１】本発明の実施の形態１に係る室外機１００の正面図である。
【図２】本発明の実施の形態１に係る室外機１００の斜視図である。
【図３】本発明の実施の形態１に係る室外機１００の斜視図であり、筐体５０のうち底面パネル５０ｂとそれ以外とを分離して示したものである。
【図４】本発明の実施の形態１に係る室外機１００の左側面図である。
【図５】本発明の実施の形態１に係る室外機１００の右側面図である。
【図６】本発明の実施の形態１に係る室外機１００の室外熱交換器２１と脚部９０との位置関係を示す図である。
【図７】図６のＡ部分を拡大した図である。
【図８】図６のＢ部分を拡大した図である。
【図９】本発明の実施の形態１に係る室外機１００の底面パネル５０ｂの上面を示す図である。
【図１０】図９のＸ−Ｘ断面図である。
【図１１】本発明の実施の形態２に係る室外機１００の底面パネル５０ｂの上面を示す図である。
【図１２】図１１のＹ−Ｙ断面図である。
【図１３】図１１のＺ−Ｚ断面図である。
【発明を実施するための形態】
【０００９】
以下、本発明の室外機について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は本発明の実施の形態１に係る室外機１００の正面図である。図２は本発明の実施の形態１に係る室外機１００の斜視図である。
【００１１】
図１，図２に示されるように、室外機１００の外郭は筐体５０で構成される。筐体５０は、底面パネル５０ｂ、背面パネル５０ｅ（図４）、前面パネル５０ｆ、左側面パネル５０ｌ、右側面パネル５０ｒ、及び天面パネル５０ｔで構成される。筐体５０の内部には機械室１０及び送風機室２０が設けられている。
【００１２】
底面パネル５０ｂは、筐体５０の底面を構成する部材である。背面パネル５０ｅは、筐体５０の背面を構成する部材である。前面パネル５０ｆは、筐体５０の前面を構成する部材である。左側面パネル５０ｌは、筐体５０の左側面を構成するパネルである。右側面パネル５０ｒは、筐体５０の右側面を構成する部材である。天面パネル５０ｔは、筐体５０の天面を構成する部材である。なお、前面パネル５０ｆ及び左側面パネル５０ｌは、一体として構成されていてもよいし、別体として構成されていてもよい。筐体５０の内部には、室外機１００を構成する各種部材が設けられる。
【００１３】
底面パネル５０ｂには脚部９０ａ，９０ｂが取り付けられている。脚部９０ａ，９０ｂは、室外機１００の設置面と接する部位である。脚部９０ａは脚部９０ｂよりも送風機室２０側に設けられている。脚部９０ｂは、脚部９０ａよりも機械室１０側に設けられている。脚部９０ａ，９０ｂを設けることで、底面パネル５０ｂと設置面との間に空隙が形成されるため、作業者が筐体５０を持ち上げやすくなり室外機１００を運搬しやすくなる。なお、以後の説明において、脚部９０ａ，９０ｂを脚部９０と総称することがある。
【００１４】
筐体５０の内部には、仕切板（図示省略）、圧縮機（図示省略）、電気品箱（図示省略）、室外熱交換器２１（図７）、ファン（図示省略）等が設けられている。仕切板が設けられることで、筐体５０の内部は、機械室１０と送風機室２０とに区画される。機械室１０には、圧縮機及び電気品箱が設けられている。送風機室２０には、室外熱交換器２１、ファン、及びファンモータが設けられている。
【００１５】
圧縮機は、冷媒を圧縮して高温高圧の冷媒として吐出するものである。電気品箱は、室外機１００を運転するために必要な各種部品を収納するものである。電気品箱の内部には、例えば制御手段（図示省略）が設けられている。
【００１６】
室外熱交換器２１は、例えば平面視してＬ字形状の熱交換器であり、左側面パネル５０ｌ及び背面パネル５０ｅに沿うように設けられる。室外熱交換器２１は、ファン及びファンモータよりも室外機１００の背面側に設けられている。室外熱交換器２１は、暖房運転時において蒸発器として機能し、冷房運転時において凝縮器として機能する。
【００１７】
ファンは、例えば、プロペラファンで構成される送風手段である。ファンが回転することで、外気が筐体５０の背面側から筐体５０の内部に導入され、筐体５０の内部に導入された外気が筐体５０の前面側に向かって排出される。ファンモータは、ファンを回転させる駆動手段である。
【００１８】
制御手段は、ファンモータを制御してファンの回転数を調整する。ファンの回転数を調整することで、室外熱交換器２１を通過する風量を調整することができる。なお、制御手段は、例えば、この機能を実現する回路デバイスなどのハードウェア、又はマイコン若しくはＣＰＵなどの演算装置上で実行されるソフトウェアで構成される。
【００１９】
制御手段がファンモータを制御してファンを回転させることで、筐体５０の背面側から筐体５０の内部に導入された空気と室外熱交換器２１の内部を流れる冷媒との間で熱交換が行われる。室外熱交換器２１の内部を流れる冷媒と熱交換した空気は、筐体５０の前面側に排出される。
【００２０】
図３は本発明の実施の形態１に係る室外機１００の斜視図であり、筐体５０のうち底面パネル５０ｂとそれ以外とを分離して示したものである。図４は本発明の実施の形態１に係る室外機１００の左側面図である。図５は本発明の実施の形態１に係る室外機１００の右側面図である。
【００２１】
図３に示されるように、底面パネル５０ｂは、底部５０ｂ１と、立ち上がり部５０ｂ２と、を備え、例えば平面視において矩形状の部材で構成されている。底部５０ｂ１は、筐体５０の下面を構成する部位である。立ち上がり部５０ｂ２は、底部５０ｂ１の外周端から立ち上がる部位である。
【００２２】
底面パネル５０ｂには第１把持部６０Ｌ及び第２把持部６０Ｒが設けられている。第１把持部６０Ｌ及び第２把持部６０Ｒは、作業者が室外機１００を持ち上げる際に把持する部位である。第１把持部６０Ｌは、立ち上がり部５０ｂ２のうち送風機室２０側の端部に設けられる部位である。第１把持部６０Ｌは、例えば、底面パネル５０ｂから左側面パネル５０ｌに至る角部を凹設して形成される。第２把持部６０Ｒは、立ち上がり部５０ｂ２のうち機械室１０側の端部に設けられる部位である。第２把持部６０Ｒは、例えば、底面パネル５０ｂから右側面パネル５０ｒに至る角部を凹設して形成される。
【００２３】
図４に示されるように、左側面パネル５０ｌの下端には第１凹部５０Ｌ１が設けられている。第１凹部５０Ｌ１は、例えば、筐体５０が組み立てられた状態において、作業者が筐体５０の左側面側から第１把持部６０Ｌを把持することができるような凹形状となっている。第１凹部５０Ｌ１よりも筐体５０の前面側には左側面側前端部５０Ｌ２が設けられ、第１凹部５０Ｌ１よりも筐体５０の背面側には左側面側後端部５０Ｌ３が設けられている。
【００２４】
図５に示されるように、右側面パネル５０ｒの下端には第２凹部５０Ｒ１が設けられている。第２凹部５０Ｒ１は、例えば、筐体５０が組み立てられた状態において、作業者が筐体５０の右側面側から第２把持部６０Ｒを把持することができるような凹形状となっている。第２凹部５０Ｒ１よりも筐体５０の前面側には右側面側前端部５０Ｒ２が設けられ、第２凹部５０Ｒ１よりも筐体５０の背面側には及び右側面側後端部５０Ｒ３が設けられている。
【００２５】
図６は本発明の実施の形態１に係る室外機１００の室外熱交換器２１と脚部９０との位置関係を示す図である。図７は図６のＡ部分を拡大した図である。図８は図６のＢ部分を拡大した図である。図９は本発明の実施の形態１に係る室外機１００の底面パネル５０ｂの上面を示す図である。図１０は図９のＸ−Ｘ断面図である。
【００２６】
図６，図７，図９，図１０に示されるように、室外熱交換器２１の送風機室２０側の端部下方には第１把持部６０Ｌが設けられている。図７に示されるように、第１把持部６０Ｌは、第１平設部６０Ｌ１及び第１立設部６０Ｌ２で構成されている。第１平設部６０Ｌ１は、底部５０ｂ１よりも上側において水平方向に延びる部位であり、作業者の手が掛けられる部位である。第１立設部６０Ｌ２は、第１平設部６０Ｌ１の外周端よりも内側において垂直方向に延びる部位である。第１平設部６０Ｌ１のうち底部５０ｂ１の外周端から最も離れる部位と第１立設部６０Ｌ２のうち最も上部に位置する部位とは連続しており、略Ｌ字形状となっている。第１立設部６０Ｌ２と室外熱交換器２１とは当接している。
【００２７】
図６，図８，図９，図１０に示されるように、室外熱交換器２１の機械室１０側の端部下部には第２把持部６０Ｒが設けられている。図８に示されるように、第２把持部６０Ｒは、第２平設部６０Ｒ１及び第２立設部６０Ｒ２で構成されている。第２平設部６０Ｒ１は、底部５０ｂ１よりも上側において水平方向に延びる部位であり、作業者の手が掛けられる部位である。第２立設部６０Ｒ２は、第２平設部６０Ｒ１の外周端よりも内側において垂直方向に延びる部位である。第２平設部６０Ｒ１のうち底部５０ｂ１の外周端から最も離れる部位と第２立設部６０Ｒ２のうち最も上部に位置する部位とは連続しており、略Ｌ字形状となっている。
【００２８】
以上のように、本実施の形態１に係る室外機１００によれば、平面視において矩形状の底面パネル５０ｂを有する筐体５０を備えた室外機１００であって、底面パネル５０ｂは、筐体５０の下面を構成する底部５０ｂ１と、該底部５０ｂ１の外周端から立ち上がる立ち上がり部５０ｂ２と、を備え、立ち上がり部５０ｂ２のうち筐体５０の一方の側面側に位置する立ち上がり部５０ｂ２には第１把持部６０Ｌが設けられ、立ち上がり部５０ｂ２のうち一方の側面側に対向する筐体５０の他方の側面側に位置する立ち上がり部５０ｂ２には第２把持部６０Ｒが設けられている。このため、室外機１００を把持するための把持部が底部５０ｂ１の下面よりも下方に突出しないため、把持部を設けることを考慮して筐体５０を小さくする必要がなく、把持部を設けることを考慮して筐体５０の高さを高くする必要もなくなる。したがって、従来よりも筐体５０の構造に制約が生じることを抑制することができる。また、第１把持部６０Ｌ及び第２把持部６０Ｒは立ち上がり部５０ｂ２に設けられているため、すなわち、第１把持部６０Ｌ及び第２把持部６０Ｒは筐体５０の側面側に設けられているため、作業者が第１把持部６０Ｌ及び第２把持部６０Ｒを把持する場合に、底部５０ｂ１の下面に把持部を設ける場合に比べて、把持する箇所を容易に見つけて把持することができる。
【００２９】
また、本実施の形態１に係る室外機１００によれば、第１把持部６０Ｌは、底部５０ｂ１よりも上側において水平方向に延びる第１平設部６０Ｌ１と、底部５０ｂ１の外周端よりも内側において垂直方向に延びる第１立設部６０Ｌ２と、を有し、第１平設部６０Ｌ１のうち底部５０ｂ１の外周端から最も離れる部位と第１立設部６０Ｌ２のうち最も上部に位置する部位とは連続しており、第１立設部６０Ｌ２と室外熱交換器２１とは当接している。このため、筐体５０のうち送風機室２０側における室外熱交換器２１の位置決めを従来よりも筐体５０の外側において行うことができる。したがって、筐体５０の内部のスペースを有効活用することができる。
【００３０】
なお、第１把持部６０Ｌ及び第２把持部６０Ｒは、筐体５０の前後方向に亘って設けられていてもよい。この場合には例えば、左側面側前端部５０Ｌ２及び左側面側後端部５０Ｌ３を切り欠き、右側面側前端部５０Ｒ２及び右側面側後端部５０Ｒ３を切り欠くとよい。これにより、作業者が第１把持部６０Ｌ及び第２把持部６０Ｒを把持可能な領域を拡大することができ、左側面パネル５０ｌ及び右側面パネル５０ｒのコストを削減することができる。
【００３１】
また、左側面パネル５０ｌにさらに把持部を設け、右側面パネル５０ｒにさらに把持部を設けてもよい。この場合には、例えば、２人の作業者のうち一方が、第１把持部６０Ｌを把持し、２人の作業者のうち他方が、第２把持部６０Ｒを把持するのではなく第２把持部６０Ｒの上部に設けられる右側面パネル５０ｒ上の把持部を把持して室外機１００を運搬することができる。また例えば、２人の作業者のうち一方が、第２把持部６０Ｒを把持し、２人の作業者のうち他方が、第１把持部６０Ｌを把持するのではなく第１把持部６０Ｌの上部に設けられる左側面パネル５０ｌ上の把持部を把持して室外機１００を運搬することができる。したがって、室外機１００を運搬する多様な場面において把持する場所を変更可能となる。なお、左側面パネル５０ｌに設ける把持部及び右側面パネル５０ｒに設ける把持部が、本発明における「側面側把持部」に相当する。
【００３２】
実施の形態２．
本実施の形態２においては、実施の形態１とは異なり、底面パネル５０ｂに設けられる把持部の個数を増加させたものである。なお、本実施の形態２において、特に記述しない項目については実施の形態１と同様とし、同一の機能や構成については同一の符号を用いて述べることとする。
【００３３】
図１１は本発明の実施の形態２に係る室外機１００の底面パネル５０ｂの上面を示す図である。図１２は図１１のＹ−Ｙ断面図である。図１３は図１１のＺ−Ｚ断面図である。
【００３４】
図１１に示されるように、底面パネル５０ｂには、第１前側把持部７０Ｌ１、第１後側把持部７０Ｌ２、第２前側把持部７０Ｒ１、及び第２後側把持部７０Ｒ２が設けられている。具体的には例えば、立ち上がり部５０ｂ２の四隅には、第１前側把持部７０Ｌ１、第１後側把持部７０Ｌ２、第２前側把持部７０Ｒ１、及び第２後側把持部７０Ｒ２が設けられている。第１前側把持部７０Ｌ１及び第１後側把持部７０Ｌ２は、立ち上がり部５０ｂ２のうち左側面パネル５０ｌ側に位置する二隅に設けられている。第２前側把持部７０Ｒ１及び第２後側把持部７０Ｒ２は、立ち上がり部５０ｂ２のうち右側面パネル５０ｒ側に位置する二隅に設けられている。
【００３５】
第１前側把持部７０Ｌ１は、底面パネル５０ｂの送風機室２０側で且つ筐体５０の前面側に設けられている。第１後側把持部７０Ｌ２は、底面パネル５０ｂの送風機室２０側で且つ筐体５０の背面側に設けられている。第２前側把持部７０Ｒ１は、底面パネル５０ｂの機械室１０側で且つ筐体５０の前面側に設けられている。第２後側把持部７０Ｒ２は、底面パネル５０ｂの機械室１０側で且つ筐体５０の背面側に設けられている。
【００３６】
以上のように、本実施の形態２に係る室外機１００によれば、第１前側把持部７０Ｌ１及び第１後側把持部７０Ｌ２は、左側面パネル５０ｌ側に位置する二隅に設けられ、第２前側把持部７０Ｒ１及び第２後側把持部７０Ｒ２は、右側面パネル５０ｒ側に位置する二隅に設けられている。このため、本実施の形態２においては、実施の形態１のように把持部を設ける場合に比べて、把持する領域を拡大することができるため、作業性を良くすることができる。
【００３７】
なお、左側面パネル５０ｌ及び右側面パネル５０ｒが、本発明の「側面パネル」に相当する。また、第１把持部６０Ｌ、第１前側把持部７０Ｌ１、第１後側把持部７０Ｌ２が、本発明の「第１把持部」に相当する。また、第２把持部６０Ｒ、第２前側把持部７０Ｒ１、第２後側把持部７０Ｒ２が、本発明の「第２把持部」に相当する。
【００３８】
また、底面パネル５０ｂのうち送風機室２０側に第１把持部６０Ｌを設け、底面パネル５０ｂのうち機械室１０側に第２前側把持部７０Ｒ１及び第２後側把持部７０Ｒ２を設けるようにしてもよい。
【００３９】
また、底面パネル５０ｂのうち送風機室２０側に第１前側把持部７０Ｌ１及び第１後側把持部７０Ｌ２を設け、底面パネル５０ｂのうち機械室１０側に第２把持部６０Ｒを設けるようにしてもよい。
【００４０】
また、本実施の形態２においては、底面パネル５０ｂのうち送風機室２０側に把持部を２つ設ける例について説明したが、これに限定されない。例えば、底面パネル５０ｂのうち送風機室２０側に把持部を３つ以上設けてもよい。具体的には例えば、底面パネル５０ｂのうち送風機室２０側に、第１前側把持部７０Ｌ１及び第１後側把持部７０Ｌ２に加えて更に把持部を設けるようにしてもよい。
【００４１】
また、本実施の形態２においては、底面パネル５０ｂのうち機械室１０側に把持部を２つ設ける例について説明したが、これに限定されない。例えば、底面パネル５０ｂのうち機械室１０側に把持部を３つ以上設けてもよい。具体的には例えば、底面パネル５０ｂのうち機械室１０側に、第２前側把持部７０Ｒ１及び第２後側把持部７０Ｒ２に加えて更に把持部を設けるようにしてもよい。
【符号の説明】
【００４２】
１０  機械室、２０  送風機室、２１  室外熱交換器、５０  筐体、５０Ｌ１  第１凹部、５０Ｌ２  左側面側前端部、５０Ｌ３  左側面側後端部、５０Ｒ１  第２凹部、５０Ｒ２  右側面側前端部、５０Ｒ３  右側面側後端部、５０ｂ  底面パネル、５０ｂ１  底部、５０ｂ２  立ち上がり部、５０ｅ  背面パネル、５０ｆ  前面パネル、５０ｌ  左側面パネル、５０ｒ  右側面パネル、５０ｔ  天面パネル、６０Ｌ  第１把持部、６０Ｌ１  第１平設部、６０Ｌ２  第１立設部、６０Ｒ  第２把持部、６０Ｒ１  第２平設部、６０Ｒ２  第２立設部、７０Ｌ１  第１前側把持部、７０Ｌ２  第１後側把持部、７０Ｒ１  第２前側把持部、７０Ｒ２  第２後側把持部、９０，９０ａ，９０ｂ  脚部、１００  室外機。
【図１】
2016132443.tif 000003
【図２】
2016132443.tif 000004
【図３】
2016132443.tif 000005
【図４】
2016132443.tif 000006
【図５】
2016132443.tif 000007
【図６】
2016132443.tif 000008
【図７】
2016132443.tif 000009
【図８】
2016132443.tif 000010
【図９】
2016132443.tif 000011
【図１０】
2016132443.tif 000012
【図１１】
2016132443.tif 000013
【図１２】
2016132443.tif 000014
【図１３】
2016132443.tif 000015
【手続補正書】
【提出日】平成29年3月14日(2017.3.14)
【手続補正１】
【補正対象書類名】明細書
【補正対象項目名】０００６
【補正方法】変更
【補正の内容】
【０００６】
本発明の室外機は、平面視において矩形状の底面パネルを有する筐体を備えた室外機であって、前記底面パネルは、前記筐体の下面を構成する底部と、該底部の外周端から立ち上がる立ち上がり部と、を備え、前記立ち上がり部のうち前記筐体の一方の側面側に位置する立ち上がり部には第１把持部が設けられ、前記立ち上がり部のうち前記一方の側面側に対向する前記筐体の他方の側面側に位置する立ち上がり部には第２把持部が設けられ、前記第１把持部は、前記底部よりも上側において水平方向に延びる第１平設部と、前記底部の外周端よりも内側において垂直方向に延びる第１立設部と、を有し、前記第１平設部のうち前記底部の外周端から離れる部位と前記第１立設部の上部に位置する部位とが連続し、前記筐体の内部に設けられる室外熱交換器を備え、前記第１立設部と前記室外熱交換器とは当接しているものである。
【手続補正２】
【補正対象書類名】特許請求の範囲
【補正対象項目名】全文
【補正方法】変更
【補正の内容】
【特許請求の範囲】
【請求項１】
平面視において矩形状の底面パネルを有する筐体を備えた室外機であって、
前記底面パネルは、
前記筐体の下面を構成する底部と、該底部の外周端から立ち上がる立ち上がり部と、を備え、
前記立ち上がり部のうち前記筐体の一方の側面側に位置する立ち上がり部には第１把持部が設けられ、
前記立ち上がり部のうち前記一方の側面側に対向する前記筐体の他方の側面側に位置する立ち上がり部には第２把持部が設けられ、
前記第１把持部は、
前記底部よりも上側において水平方向に延びる第１平設部と、
前記底部の外周端よりも内側において垂直方向に延びる第１立設部と、を有し、
前記第１平設部のうち前記底部の外周端から離れる部位と前記第１立設部の上部に位置する部位とが連続し、
前記筐体の内部に設けられる室外熱交換器を備え、
前記第１立設部と前記室外熱交換器とは当接している
室外機。
【請求項２】
前記第１把持部は複数設けられている
請求項１に記載の室外機。
【請求項３】
前記第１把持部は、
少なくとも、前記立ち上がり部の四隅のうち前記一方の側面側に位置する二隅に設けられている
請求項１又は請求項２に記載の室外機。
【請求項４】
前記第２把持部は複数設けられている
請求項１〜請求項３の何れか一項に記載の室外機。
【請求項５】
前記第２把持部は、
少なくとも、前記立ち上がり部の四隅のうち前記他方の側面側に位置する二隅に設けられている
請求項１〜請求項４の何れか一項に記載の室外機。
【請求項６】
前記第２把持部は、
前記底部よりも上側において水平方向に延びる第２平設部と、
前記底部の外周端よりも内側において垂直方向に延びる第２立設部と、を有し、
前記第２平設部のうち前記底部の外周端から離れる部位と前記第２立設部の上部に位置する部位とが連続している
請求項１〜請求項５の何れか一項に記載の室外機。
【請求項７】
前記一方の側面は、送風機を収納する送風機が設けられる空間を形成する一面を構成し、
前記他方の側面は、圧縮機を収納する機械室が設けられる空間を形成する一面を構成する
請求項１〜請求項６の何れか一項に記載の室外機。
【請求項８】
前記一方の側面及び前記他方の側面のうち少なくとも何れかには側面側把持部が設けられている
請求項１〜請求項７の何れか一項に記載の室外機。
【国際調査報告】
2016132443.tif 000016
2016132443.tif 000017
2016132443.tif 000018
2016132443.tif 000019